(57)【要約】【課題】コンテナ上部でのシートの着脱及び開閉作業を省力化し、コンテナの上面開口部を全面開放して輸送対象物の積み込み作業を効率化し、輸送対象物の飛散を防止して輸送対象物を雨ざらしから保護できるコンテナ上部シート開閉装置を提供する。【解決手段】コンテナ１１の長手方向両端部に各々取付けられて上面開口部１２の開放時に第１、第２の分割シート２０、２０ａが各々収容される第１、第２の分割シート収容部２１、２１ａと、コンテナ１１の外側部に取付けられ上面開口部１２の閉塞時に第１、第２の分割シート２０、２０ａの先側をコンテナ１１の長手方向中央部まで移動させる閉塞手段２３と、コンテナ１１の両側壁１８、１９の長手方向に沿って取付けられ第１、第２の分割シート収容部２１、２１ａからコンテナ１１の長手方向中央部まで第１、第２の分割シート２０、２０ａの移動を案内する第１、第２のガイド部２５、２５ａとを有する。【選択図】図１
0003221738.tif 000002
【実用新案登録請求の範囲】
【請求項１】
コンテナの上面開口部に張設されるシートの開閉を行うコンテナ上部シート開閉装置であって、
前記シートは、前記コンテナの長手方向中央部で分割された第１、第２の分割シートからなり、前記コンテナの長手方向両端部にそれぞれ取付けられて前記上面開口部の開放時に前記第１、第２の分割シートがそれぞれ収容される第１、第２の分割シート収容部と、前記コンテナの外側部に取付けられ前記上面開口部の閉塞時に前記第１、第２の分割シートの先側を前記コンテナの長手方向中央部まで移動させる閉塞手段と、前記コンテナの両側壁の長手方向に沿って取付けられ前記第１、第２の分割シート収容部から前記コンテナの長手方向中央部まで前記第１、第２の分割シートの移動を案内する第１、第２のガイド部とを有することを特徴とするコンテナ上部シート開閉装置。
【請求項２】
請求項１記載のコンテナ上部シート開閉装置において、前記第１、第２の分割シート収容部は、前記コンテナの幅方向両側部にそれぞれ高さ方向に沿って形成された昇降ガイドと、前記コンテナの幅方向に沿ってそれぞれ設けられ、両端部が前記各昇降ガイドに摺動可能に保持された第１、第２のウエイトローラとを有し、前記第１、第２の分割シートの基側端部は、それぞれ前記第１、第２のウエイトローラの下方を通過して前記第１、第２の分割シート収容部の上端側に固定されていることを特徴とするコンテナ上部シート開閉装置。
【請求項３】
請求項１又は２記載のコンテナ上部シート開閉装置において、前記閉塞手段は、一端側が前記第１、第２の分割シートの先側にそれぞれ連結された第１、第２の連結部材と、該第１、第２の連結部材の他端側にそれぞれ連結され前記上面開口部の閉塞時に前記第１、第２の連結部材の巻取り動作を行う第１、第２の巻取り部とを有することを特徴とするコンテナ上部シート開閉装置。
【請求項４】
請求項３記載のコンテナ上部シート開閉装置において、前記閉塞手段は、前記第１、第２の巻取り部の巻取り動作を連動させる回転連動機構を有することを特徴とするコンテナ上部シート開閉装置。
【請求項５】
請求項１〜４のいずれか１項に記載のコンテナ上部シート開閉装置において、前記第１、第２のガイド部は、それぞれ前記コンテナの両側壁の上面にそれぞれ設けられる一対のガイドレールを有し、前記第１、第２の分割シートには、幅方向に沿って複数の補強軸が取付けられ、該各補強軸の両端部に、前記各ガイドレールに沿って移動するガイドローラが回転可能に保持されていることを特徴とするコンテナ上部シート開閉装置。
【請求項６】
請求項５記載のコンテナ上部シート開閉装置において、前記コンテナの両側壁の上端側にそれぞれ長手方向に沿って取付けられ前記ガイドローラの上方及び外側を覆うローラ保護カバーを有することを特徴とするコンテナ上部シート開閉装置。
【請求項７】
請求項１〜６のいずれか１記載のコンテナ上部シート開閉装置において、前記第１、第２の分割シートの先側の幅方向両側位置に、前記コンテナの両側壁の上面に当接するスクレーパがそれぞれ取付けられることを特徴とするコンテナ上部シート開閉装置。
【請求項８】
請求項１〜７のいずれか１記載のコンテナ上部シート開閉装置において、前記第１、第２の分割シートの先側端部には、前記上面開口部の閉塞時に前記第１、第２の分割シートの先側同士を着磁によって固定する固定手段が取付けられることを特徴とするコンテナ上部シート開閉装置。
【請求項９】
コンテナの上面開口部に張設されるシートの開閉を行うコンテナ上部シート開閉装置であって、
前記コンテナの長手方向一端部に取付けられて前記上面開口部の開放時に前記シートが収容されるシート収容部と、前記コンテナの長手方向他端部に取付けられ前記上面開口部の閉塞時に前記シートの先側を前記コンテナの長手方向他端部まで移動させる閉塞手段と、前記コンテナの両側壁の長手方向に沿って取付けられ前記シート収容部から前記コンテナの長手方向他端部まで前記シートの移動を案内するガイド部とを有することを特徴とするコンテナ上部シート開閉装置。
【請求項１０】
請求項９記載のコンテナ上部シート開閉装置において、前記シート収容部は、前記コンテナの幅方向両側部にそれぞれ高さ方向に沿って形成された第１の昇降ガイドと、前記コンテナの幅方向に沿って設けられ、両端部が前記各第１の昇降ガイドに摺動可能に保持された第１のウエイトローラと、前記上面開口部の開放時の前記シートの移動方向に対し前記第１の昇降ガイドよりも下流側で、前記コンテナの幅方向両側部にそれぞれ高さ方向に沿って形成された第２の昇降ガイドと、前記コンテナの幅方向に沿って設けられ、両端部が前記各第２の昇降ガイドに摺動可能に保持された第２のウエイトローラと、前記第１、第２のウエイトローラの間で、前記上面開口部の閉塞時の前記第１、第２のウエイトローラの高さよりも高い位置に前記コンテナの幅方向に沿って設けられ、該シート収容部に回動可能に保持された中間ローラとを有し、前記シートの基側端部は、前記第１のウエイトローラの下方を通過し、前記中間ローラの上方を通過し、更に、前記第２のウエイトローラの下方を通過して前記シート収容部の上端側に固定されていることを特徴とするコンテナ上部シート開閉装置。
【請求項１１】
請求項９又は１０記載のコンテナ上部シート開閉装置において、前記閉塞手段は、一端側が前記シートの先側に連結された連結部材と、該連結部材の他端側に連結され前記上面開口部の閉塞時に前記連結部材の巻取り動作を行う巻取り部とを有することを特徴とするコンテナ上部シート開閉装置。
【請求項１２】
請求項９〜１１のいずれか１項に記載のコンテナ上部シート開閉装置において、前記ガイド部は、前記コンテナの両側壁の上面に設けられる一対のガイドレールを有し、前記シートの下方には、幅方向に沿って複数の支持軸が配置され、該各支持軸の両端部に、前記各ガイドレールに沿って移動するガイドローラが回転可能に保持され、前記シートの先側と該シートの先側に最も近い前記支持軸、及び隣り合う前記支持軸同士がそれぞれ支持軸連結部材で連結されていることを特徴とするコンテナ上部シート開閉装置。
【請求項１３】
請求項１２記載のコンテナ上部シート開閉装置において、前記コンテナの両側壁の上端側にそれぞれ長手方向に沿って取付けられ前記ガイドローラの上方及び外側を覆うローラ保護カバーを有することを特徴とするコンテナ上部シート開閉装置。
【請求項１４】
請求項９〜１３のいずれか１記載のコンテナ上部シート開閉装置において、前記シートの先側の幅方向両側位置に、前記コンテナの両側壁の上面に当接するスクレーパがそれぞれ取付けられることを特徴とするコンテナ上部シート開閉装置。
【考案の詳細な説明】
【技術分野】
【０００１】
本考案は、コンテナの屋根（天井）を容易に開閉して各種輸送対象物の積み込み作業性を向上させ、積み込んだ輸送対象物の飛散を防止し、輸送対象物を雨ざらしから保護することができるコンテナ上部シート開閉装置に関する。
【背景技術】
【０００２】
従来、各種物品（輸送対象物）の輸送にコンテナが使用されているが、特に屋根の無いコンテナ（オープントップコンテナ）は、コンテナの上面開口部から輸送対象物の積み込みを行うことができるため、重量物、長尺物、嵩高物、粒状物等の輸送に適している。そして、輸送対象物の飛散を防止し、更に輸送対象物を雨ざらしから保護するために、コンテナの上部にシートを掛け、周囲をロープ等で固定している。しかし、シートの固定はコンテナの上部で行うので、コンテナの周囲に足場となる作業台等を設置する必要があり、シートの取付け及び取外しの作業に手間がかかると共に、高所作業となるため、作業の安全性にも問題がある。そこで、例えば、特許文献１には、防水性シートを自動的に折り畳み及び広げることにより、屋根の自動開閉が可能なコンテナ等の開閉屋根が記載されている。
【先行技術文献】
【特許文献】
【０００３】
【特許文献１】特開２００４−２６９００５号公報
【考案の概要】
【考案が解決しようとする課題】
【０００４】
しかしながら、特許文献１では、リンク機構を用いて防水性シートを折り畳む構造を採用しているため、屋根の開放時においても、リンク機構と共に防水性シートが蛇腹状に折り畳まれて、開口部の一部が覆われた状態となる。よって、屋根の全面を開放することができず、折り畳まれたリンク機構及び防水性シートが積み込み作業の邪魔になり、作業性に欠けるという問題がある。また、粒状物等の輸送対象物を積み込む際に、防水性シートにかかり、コンテナの外にこぼれ落ちる可能性もある。さらに、リンク機構の構造が複雑で、防水性シートがリンク機構に引っ掛かって動作不良が発生し易く、屋根の開閉動作の安定性に欠けるという問題がある。
本考案は、かかる事情に鑑みてなされたもので、コンテナに取付けてコンテナ上部のシートの開閉を省力化することができ、高所作業が不要で安全性に優れ、コンテナの上面開口部を全面開放して輸送対象物の積み込み作業の効率化を図り、積み込んだ輸送対象物の飛散を防止し、更に輸送対象物を雨ざらしから確実に保護することができるコンテナ上部シート開閉装置を提供することを目的とする。
【課題を解決するための手段】
【０００５】
前記目的に沿う第１の考案に係るコンテナ上部シート開閉装置は、コンテナの上面開口部に張設されるシートの開閉を行うコンテナ上部シート開閉装置であって、
前記シートは、前記コンテナの長手方向中央部で分割された第１、第２の分割シートからなり、前記コンテナの長手方向両端部にそれぞれ取付けられて前記上面開口部の開放時に前記第１、第２の分割シートがそれぞれ収容される第１、第２の分割シート収容部と、前記コンテナの外側部に取付けられ前記上面開口部の閉塞時に前記第１、第２の分割シートの先側を前記コンテナの長手方向中央部まで移動させる閉塞手段と、前記コンテナの両側壁の長手方向に沿って取付けられ前記第１、第２の分割シート収容部から前記コンテナの長手方向中央部まで前記第１、第２の分割シートの移動を案内する第１、第２のガイド部とを有する。
【０００６】
第１の考案に係るコンテナ上部シート開閉装置において、前記第１、第２の分割シート収容部は、前記コンテナの幅方向両側部にそれぞれ高さ方向に沿って形成された昇降ガイドと、前記コンテナの幅方向に沿ってそれぞれ設けられ、両端部が前記各昇降ガイドに摺動可能に保持された第１、第２のウエイトローラとを有し、前記第１、第２の分割シートの基側端部は、それぞれ前記第１、第２のウエイトローラの下方を通過して前記第１、第２の分割シート収容部の上端側に固定されていることが好ましい。
【０００７】
第１の考案に係るコンテナ上部シート開閉装置において、前記閉塞手段は、一端側が前記第１、第２の分割シートの先側にそれぞれ連結された第１、第２の連結部材と、該第１、第２の連結部材の他端側にそれぞれ連結され前記上面開口部の閉塞時に前記第１、第２の連結部材の巻取り動作を行う第１、第２の巻取り部とを有することが好ましい。
【０００８】
第１の考案に係るコンテナ上部シート開閉装置において、前記閉塞手段は、前記第１、第２の巻取り部の巻取り動作を連動させる回転連動機構を有することが好ましい。
【０００９】
第１の考案に係るコンテナ上部シート開閉装置において、前記第１、第２のガイド部は、それぞれ前記コンテナの両側壁の上面にそれぞれ設けられる一対のガイドレールを有し、前記第１、第２の分割シートには、幅方向に沿って複数の補強軸が取付けられ、該各補強軸の両端部に、前記各ガイドレールに沿って移動するガイドローラが回転可能に保持されていることが好ましい。
【００１０】
第１の考案に係るコンテナ上部シート開閉装置において、前記コンテナの両側壁の上端側にそれぞれ長手方向に沿って取付けられ前記ガイドローラの上方及び外側を覆うローラ保護カバーを有することが好ましい。
【００１１】
第１の考案に係るコンテナ上部シート開閉装置において、前記第１、第２の分割シートの先側の幅方向両側位置に、前記コンテナの両側壁の上面に当接するスクレーパがそれぞれ取付けられることが好ましい。
【００１２】
第１の考案に係るコンテナ上部シート開閉装置において、前記第１、第２の分割シートの先側端部には、前記上面開口部の閉塞時に前記第１、第２の分割シートの先側同士を着磁によって固定する固定手段が取付けられることが好ましい。
【００１３】
前記目的に沿う第２の考案に係るコンテナ上部シート開閉装置は、コンテナの上面開口部に張設されるシートの開閉を行うコンテナ上部シート開閉装置であって、
前記コンテナの長手方向一端部に取付けられて前記上面開口部の開放時に前記シートが収容されるシート収容部と、前記コンテナの長手方向他端部に取付けられ前記上面開口部の閉塞時に前記シートの先側を前記コンテナの長手方向他端部まで移動させる閉塞手段と、前記コンテナの両側壁の長手方向に沿って取付けられ前記シート収容部から前記コンテナの長手方向他端部まで前記シートの移動を案内するガイド部とを有する。
【００１４】
第２の考案に係るコンテナ上部シート開閉装置において、前記シート収容部は、前記コンテナの幅方向両側部にそれぞれ高さ方向に沿って形成された第１の昇降ガイドと、前記コンテナの幅方向に沿って設けられ、両端部が前記各第１の昇降ガイドに摺動可能に保持された第１のウエイトローラと、前記上面開口部の開放時の前記シートの移動方向に対し前記第１の昇降ガイドよりも下流側で、前記コンテナの幅方向両側部にそれぞれ高さ方向に沿って形成された第２の昇降ガイドと、前記コンテナの幅方向に沿って設けられ、両端部が前記各第２の昇降ガイドに摺動可能に保持された第２のウエイトローラと、前記第１、第２のウエイトローラの間で、前記上面開口部の閉塞時の前記第１、第２のウエイトローラの高さよりも高い位置に前記コンテナの幅方向に沿って設けられ、該シート収容部に回動可能に保持された中間ローラとを有し、前記シートの基側端部は、前記第１のウエイトローラの下方を通過し、前記中間ローラの上方を通過し、更に、前記第２のウエイトローラの下方を通過して前記シート収容部の上端側に固定されていることが好ましい。
【００１５】
第２の考案に係るコンテナ上部シート開閉装置において、前記閉塞手段は、一端側が前記シートの先側に連結された連結部材と、該連結部材の他端側に連結され前記上面開口部の閉塞時に前記連結部材の巻取り動作を行う巻取り部とを有することが好ましい。
【００１６】
第２の考案に係るコンテナ上部シート開閉装置において、前記ガイド部は、前記コンテナの両側壁の上面に設けられる一対のガイドレールを有し、前記シートの下方には、幅方向に沿って複数の支持軸が配置され、該各支持軸の両端部に、前記各ガイドレールに沿って移動するガイドローラが回転可能に保持され、前記シートの先側と該シートの先側に最も近い前記支持軸、及び隣り合う前記支持軸同士がそれぞれ支持軸連結部材で連結されていることが好ましい。
【００１７】
第２の考案に係るコンテナ上部シート開閉装置において、前記コンテナの両側壁の上端側にそれぞれ長手方向に沿って取付けられ前記ガイドローラの上方及び外側を覆うローラ保護カバーを有することが好ましい。
【００１８】
第２の考案に係るコンテナ上部シート開閉装置において、前記シートの先側の幅方向両側位置に、前記コンテナの両側壁の上面に当接するスクレーパがそれぞれ取付けられることが好ましい。
【考案の効果】
【００１９】
第１の考案に係るコンテナ上部シート開閉装置によれば、コンテナの上面開口部に張設されるシートが、コンテナの長手方向中央部で第１、第２の分割シートに分割されており、コンテナの長手方向両端部に、上面開口部の開放時に第１、第２の分割シートがそれぞれ収容される第１、第２の分割シート収容部が取付けられるので、上面開口部を全面開放して輸送対象物の積み込み作業を行うことができ、第１、第２の分割シート及び第１、第２の分割シート収容部が積み込み作業の邪魔になることがなく、作業性に優れる。また、第１、第２の分割シートの先側をコンテナの長手方向中央部まで移動させる閉塞手段を有するので、輸送対象物の積み込み作業終了後に上面開口部を確実に閉塞して、輸送対象物の飛散を防止し、更に輸送対象物を雨ざらしから保護することができ、人の手で第１、第２の分割シートを上面開口部に掛けてコンテナに固定する作業を行う必要がなく、高所作業が不要で、省力性、安全性に優れる。さらに、コンテナの両側壁の長手方向に沿って取付けられ第１、第２の分割シート収容部からコンテナの長手方向中央部まで第１、第２の分割シートの移動を案内する第１、第２のガイド部を有するので、上面開口部の開閉時に第１、第２の分割シートが捩じれたり、斜行したりすることがなく、開閉動作の安定性に優れる。
【００２０】
第１の考案において、第１、第２の分割シート収容部が、コンテナの幅方向両側部にそれぞれ高さ方向に沿って形成された昇降ガイドと、コンテナの幅方向に沿ってそれぞれ設けられ、両端部が各昇降ガイドに摺動可能に保持された第１、第２のウエイトローラとを有し、第１、第２の分割シートの基側端部が、それぞれ第１、第２のウエイトローラの下方を通過して第１、第２の分割シート収容部の上端側に固定されている場合、第１、第２の分割シート収容部に収容された第１、第２の分割シートによって第１、第２のウエイトローラが抱持されるので、閉塞手段が無負荷の状態では、第１、第２のウエイトローラが自重によって昇降ガイドの下端まで移動（落下）して、第１、第２の分割シートが第１、第２の分割シート収容部に引き込まれることとなり、動力を必要とすることなく、自動的にコンテナの上面開口部を開放することができる。
【００２１】
第１の考案において、閉塞手段が、一端側が第１、第２の分割シートの先側にそれぞれ連結された第１、第２の連結部材と、第１、第２の連結部材の他端側にそれぞれ連結され上面開口部の閉塞時に第１、第２の連結部材の巻取り動作を行う第１、第２の巻取り部とを有することにより、第１、第２の巻取り部でそれぞれ第１、第２の連結部材を巻取るだけで、第１、第２の分割シート収容部から第１、第２の分割シートを引き出して上面開口部全体を簡単に覆うことができるので、一人の作業者でも短時間で作業を行うことが可能で、操作性に優れる。
【００２２】
第１の考案において、閉塞手段が、第１、第２の巻取り部の巻取り動作を連動させる回転連動機構を有する場合、１箇所での操作で第１、第２の巻取り部を同時に駆動させて第１、第２の分割シートで上面開口部を閉塞することができ、作業時間を短縮して、作業者の作業負担を軽減することができる。
【００２３】
第１の考案において、第１、第２のガイド部が、コンテナの両側壁の上面にそれぞれ設けられる一対のガイドレールを有し、第１、第２の分割シートに、幅方向に沿って複数の補強軸が取付けられ、各補強軸の両端部に、各ガイドレールに沿って移動するガイドローラが回転可能に保持されている場合、上面開口部の開閉時に、第１、第２の分割シートをガイドレールに沿って移動させ、上面開口部の開閉動作をスムーズに行うことができる。また、第１、第２の分割シートの要所が補強軸で支持（補強）されることにより、上面開口部の閉塞時に、第１、第２の分割シートの撓み（弛み）及びめくれが発生し難く、コンテナ内部への雨水等の浸入が低減される。
【００２４】
第１の考案において、第１、第２の分割シートの先側の幅方向両側位置に、コンテナの両側壁の上面に当接するスクレーパがそれぞれ取付けられる場合、両側壁の上面に付着した粒状の輸送対象物又は異物等の付着物をスクレーパで掻き落とすことができる。特に、両側壁の上面にガイドレールが設けられている場合は、ガイドレール上の付着物をスクレーパで掻き落としながら、第１、第２の分割シートに取付けられたガイドローラをガイドレールに沿ってスムーズに移動させることができる。
【００２５】
第１の考案において、第１、第２の分割シートの先側端部に、上面開口部の閉塞時に第１、第２の分割シートの先側同士を着磁によって固定する固定手段が取付けられる場合、上面開口部の閉塞時に自動的に第１、第２の分割シートの先側同士を密着させて固定することができ、搬送中に第１、第２の分割シートが移動したり、めくれたりして上面開口部が開放されることを防ぎ、コンテナに収容された輸送対象物を確実に保護することができる。
【００２６】
第２の考案に係るコンテナ上部シート開閉装置によれば、コンテナの長手方向一端部に、上面開口部の開放時にシートが収容されるシート収容部が取付けられるので、上面開口部を全面開放して輸送対象物の積み込み作業を行うことができ、シート及びシート収容部が積み込み作業の邪魔になることがなく、作業性に優れる。また、シートの先側をコンテナの長手方向他端部まで移動させる閉塞手段を有するので、輸送対象物の積み込み作業終了後に上面開口部を確実に閉塞して、輸送対象物の飛散を防止し、更に輸送対象物を雨ざらしから保護することができ、人の手でシートを上面開口部に掛けてコンテナに固定する作業を行う必要がなく、高所作業が不要で、省力性、安全性に優れる。さらに、コンテナの両側壁の長手方向に沿って取付けられシート収容部からコンテナの長手方向他端部までシートの移動を案内するガイド部を有するので、上面開口部の開閉時にシートが捩じれたり、斜行したりすることがなく、開閉動作の安定性に優れる。
【００２７】
第２の考案において、シート収容部が、コンテナの幅方向両側部にそれぞれ高さ方向に沿って形成された第１の昇降ガイドと、コンテナの幅方向に沿ってそれぞれ設けられ、両端部が各第１の昇降ガイドに摺動可能に保持された第１のウエイトローラと、上面開口部の開放時のシートの移動方向に対し第１の昇降ガイドよりも下流側で、コンテナの幅方向両側部にそれぞれ高さ方向に沿って形成された第２の昇降ガイドと、コンテナの幅方向に沿って設けられ、両端部が各第２の昇降ガイドに摺動可能に保持された第２のウエイトローラと、第１、第２のウエイトローラの間で、上面開口部の閉塞時の第１、第２のウエイトローラの高さよりも高い位置にコンテナの幅方向に沿って設けられ、シート収容部に回動可能に保持された中間ローラとを有し、シートの基側端部が、第１のウエイトローラの下方を通過し、中間ローラの上方を通過し、更に、第２のウエイトローラの下方を通過してシート収容部の上端側に固定されている場合、シート収容部に収容されたシートによって第１、第２のウエイトローラが抱持されるので、閉塞手段が無負荷の状態では、第１、第２のウエイトローラが自重によってそれぞれ第１、第２の昇降ガイドの下端まで移動（落下）して、シートがシート収容部に引き込まれることとなり、動力を必要とすることなく、自動的にコンテナの上面開口部を開放することができる。
【００２８】
第２の考案において、閉塞手段が、一端側がシートの先側に連結された連結部材と、連結部材の他端側に連結され上面開口部の閉塞時に連結部材の巻取り動作を行う巻取り部とを有することにより、巻取り部で連結部材を巻取るだけで、シート収容部からシートを引き出して上面開口部全体を簡単に覆うことができるので、一人の作業者でも短時間で作業を行うことが可能で、操作性に優れる。
【００２９】
第２の考案において、ガイド部が、コンテナの両側壁の上面にそれぞれ設けられる一対のガイドレールを有し、シートの下方に、幅方向に沿って複数の支持軸が配置され、各支持軸の両端部に、各ガイドレールに沿って移動するガイドローラが回転可能に保持され、シートの先側とシートの先側に最も近い支持軸、及び隣り合う支持軸同士がそれぞれ支持軸連結部材で連結されている場合、上面開口部の開閉時に、シートをガイドレールに沿って移動させ、上面開口部の開閉動作をスムーズに行うことができる。このとき、シートの移動に合わせて支持軸が順次移動することにより、シートの要所が支持軸で支持され、上面開口部の閉塞時に、シートの撓み（弛み）が発生し難く、コンテナ内部への雨水等の浸入が低減される。
【００３０】
第２の考案において、シートの先側の幅方向両側位置に、コンテナの両側壁の上面に当接するスクレーパがそれぞれ取付けられる場合、両側壁の上面に付着した粒状の輸送対象物又は異物等の付着物をスクレーパで掻き落とすことができる。特に、両側壁の上面にガイドレールが設けられている場合は、ガイドレール上の付着物をスクレーパで掻き落としながら、シートを支持する支持軸に取付けられたガイドローラをガイドレールに沿ってスムーズに移動させることができる。
【００３１】
第１、第２の考案において、コンテナの両側壁の上端側にそれぞれ長手方向に沿って取付けられガイドローラの上方及び外側を覆うローラ保護カバーを有する場合、ガイドローラの浮き上がり、脱輪、及び斜行等を防止することができ、上面開口部の開閉動作の安定性を向上させることができる。
【図面の簡単な説明】
【００３２】
【図１】本考案の第１の実施の形態に係るコンテナ上部シート開閉装置を備えたコンテナを示す部分破断平面図である。
【図２】同コンテナ上部シート開閉装置を備えたコンテナを示す部分破断正面図である。
【図３】同コンテナ上部シート開閉装置の閉塞手段の部分破断拡大正面図である。
【図４】同コンテナ上部シート開閉装置の閉塞手段の変形例を示す部分破断拡大正面図である。
【図５】本考案の第２の実施の形態に係るコンテナ上部シート開閉装置を備えたコンテナの上面開口部を閉塞した状態を示す部分破断平面図である。
【図６】同コンテナ上部シート開閉装置を備えたコンテナの上面開口部を閉塞した状態を示す部分破断正面図である。
【図７】同コンテナ上部シート開閉装置を備えたコンテナの上面開口部を開放した状態を示す部分破断平面図である。
【図８】同コンテナ上部シート開閉装置を備えたコンテナの上面開口部を開放した状態を示す部分破断正面図である。
【考案を実施するための形態】
【００３３】
続いて、添付した図面を参照しつつ、本考案を具体化した実施の形態につき説明し、本考案の理解に供する。
図１〜図３に示す本考案の第１の実施の形態に係るコンテナ上部シート開閉装置（以下、シート開閉装置ともいう）１０は、コンテナ１１の上面開口部１２に張設されるシート１３の開閉を行うものである。なお、図１、図２の左右方向がコンテナ１１の長手方向（前後方向）であり、図１の上下方向がコンテナ１１の幅方向である。コンテナ１１は、長方形状の底板１５と、その外周に立設された前後の端部壁１６、１７及び左右の側壁１８、１９を有する直方体状に形成されている。
図１〜図３に示すように、シート１３は、コンテナ１１の長手方向中央部で分割された第１、第２の分割シート２０、２０ａからなり、シート開閉装置１０は、図１、図２に示すように、コンテナ１１の長手方向両端部に取付けられ、上面開口部１２の開放時に第１、第２の分割シート２０、２０ａがそれぞれ収容される第１、第２の分割シート収容部２１、２１ａを有している。なお、図１、図２では、上面開口部１２の左半分が第１の分割シート２０で閉じられ、右半分が開放されている状態を示している。第１、第２の分割シート２０、２０ａとしては、テント用布シートが好適に用いられるが、これに限定されるものではなく、適宜、選択することができる。また、シート開閉装置１０は、図１〜図３に示すように、コンテナ１１の外側部（ここでは、側壁１８の長手方向中央部）に取付けられて、上面開口部１２の閉塞時に第１、第２の分割シート２０、２０ａの先側をコンテナ１１の長手方向中央部まで移動させる閉塞手段２３を有している。さらに、シート開閉装置１０は、図１、図２に示すように、コンテナ１１の両側壁１８、１９の長手方向に沿って取付けられ、第１、第２の分割シート収容部２１、２１ａからコンテナ１１の長手方向中央部まで第１、第２の分割シート２０、２０ａの移動を案内する第１、第２のガイド部２５、２５ａを有している。
【００３４】
まず、第１、第２の分割シート収容部２１、２１ａの詳細について説明する。
図１、図２に示すように、第１の分割シート収容部２１は、コンテナ１１の幅方向両側部にそれぞれ高さ方向に沿って長孔状の昇降ガイド２６、２６ａが形成された側部カバー２７、２７ａを有しており、コンテナ１１の幅方向に沿って設けられた第１のウエイトローラ２８の両端の軸部２９、２９ａが昇降ガイド２６、２６ａに摺動可能に保持されている。また、第１の分割シート収容部２１は、端部壁１６の前方に端部壁１６と間隔を空けて平行配置されたシート取付けカバー３０を有しており、第１の分割シート２０の基側端部３１が、第１のウエイトローラ２８の下方を通過して、シート取付けカバー３０の内面の上端側に固定されている。第１の分割シート収容部２１の上端側は上面カバー３２で覆われている。
また、第２の分割シート収容部２１ａは、コンテナ１１の幅方向両側部にそれぞれ高さ方向に沿って長孔状の昇降ガイド３３、３３ａが形成された側部カバー３４、３４ａを有しており、コンテナ１１の幅方向に沿って設けられた第２のウエイトローラ３５の両端の軸部３６、３６ａが昇降ガイド３３、３３ａに摺動可能に保持されている。また、第２の分割シート収容部２１ａは、端部壁１７の後方に端部壁１７と間隔を空けて平行配置されたシート取付けカバー３７を有しており、第２の分割シート２０ａの基側端部３８が、第２のウエイトローラ３５の下方を通過して、シート取付けカバー３７の内面の上端側に固定されている。第２の分割シート収容部２１ａの上端側は上面カバー３９で覆われている。
【００３５】
以上の構成により、第１、第２のウエイトローラ２８、３５は、それぞれ第１、第２の分割シート２０、２０ａによって抱持された状態となるので、閉塞手段２３が無負荷の状態では、第１、第２のウエイトローラ２８、３５が自重によって昇降ガイド２６、２６ａ及び昇降ガイド３３、３３ａに沿ってそれぞれ下端まで移動（落下）する。その結果、第１、第２の分割シート２０、２０ａは、それぞれ第１、第２の分割シート収容部２１、２１ａに引き込まれることとなり、動力を必要とすることなく、自動的にコンテナ１１の上面開口部１２を開放することができる。特に、第１、第２のウエイトローラ２８、３５は、第１、第２の分割シート２０、２０ａの幅全体に均等に荷重を加えることができるので、第１、第２の分割シート２０、２０ａの斜行を効果的に防ぐことができる。第１、第２の分割シート収容部２１、２１ａの各部は鉄又はアルミニウム等の金属で形成してもよいし、硬質性の合成樹脂で形成してもよい。
【００３６】
次に、閉塞手段２３の詳細について説明する。
閉塞手段２３は、図１〜図３に示すように、一端側が第１、第２の分割シート２０、２０ａの先側にそれぞれ連結された第１、第２の連結部材（例えば、ロープ、ワイヤ又はチェーン等）４０、４０ａと、第１、第２の連結部材４０、４０ａの他端側にそれぞれ連結され上面開口部１２の閉塞時に第１、第２の連結部材４０、４０ａの巻取り動作を行う第１、第２の巻取り部４１、４１ａを有している。ここで、第１、第２の分割シート２０、２０ａの先側の幅方向に沿って角柱状の先端固定部４２、４２ａが取付けられており、この先端固定部４２、４２ａの長手方向の一端部（ここでは側壁１８側の端部）にそれぞれ第１、第２の連結部材４０、４０ａの一端側が連結される連結部４３、４３ａが設けられている。連結部４３、４３ａは第１、第２の連結部材４０、４０ａの一端側を連結して保持できるものであればよく、その形状は、アイボルト状に限定されず、適宜、選択することができる。
【００３７】
第１、第２の巻取り部４１、４１ａは、それぞれ第１、第２の連結部材４０、４０ａを巻き取るドラム４５、４５ａと、ドラム４５、４５ａを回転させるためのハンドル４６、４６ａを備えている。よって、第１、第２の分割シート２０、２０ａがそれぞれ第１、第２の分割シート収容部２１、２１ａに収容され、上面開口部１２が開放されている状態から、ハンドル４６、４６ａを操作してドラム４５、４５ａを回転させ、第１、第２の連結部材４０、４０ａをドラム４５、４５ａで巻き取ることができる。これにより、第１、第２の分割シート２０、２０ａが第１、第２の分割シート収容部２１、２１ａから引き出され、その先側がコンテナ１１の長手方向中央部まで移動して上面開口部１２が閉塞される。このとき、第１、第２の連結部材４０、４０ａは、それぞれ側壁１８の外側部に設けられた複数のガイド用滑車４７、４７ａでガイドされるが、ガイド用滑車４７、４７ａは、第１、第２の連結部材４０、４０ａが第１、第２の分割シート２０、２０ａの先側からドラム４５、４５ａまでスムーズに移動（摺動）できるように、ガイドできるものであればよく、その数、大きさ、及び配置は適宜、選択することができる。
【００３８】
なお、閉塞手段２３の各部は側壁１８の外側面に固定されたベース部４８を介して取付けられ、必要に応じてカバー（図示せず）で覆われる。また、第１、第２の巻取り部４１、４１ａには、ドラム４５、４５ａの逆回転を防止する逆回転防止機構（ロック機構）を備えることが好ましく、ハンドル４６、４６ａはコンテナ１１の搬送時に邪魔にならないように、着脱可能とすることが好ましい。本実施の形態では、ドラム４５、４５ａをハンドル４６、４６ａによって手動で回転させたが、第１、第２の巻取り部は電動式としてもよい。また、本実施の形態では、側壁１８の外側の長手方向中央部に第１、第２の巻取り部４１、４１ａを取付けたが、第１、第２の巻取り部の取付け位置はこれに限定されるものではなく、適宜、選択することができる。例えば、側壁の外側の長手方向両端部にそれぞれ第１、第２の巻取り部を取付けてもよいし、端部壁１６、１７の外面にそれぞれ第１、第２の巻取り部を取付けてもよい。
【００３９】
次に、先端固定部４２、４２ａの先端面には、上面開口部１２の閉塞時に第１、第２の分割シート２０、２０ａの先側同士を着磁によって固定する固定手段４９が設けられている。この固定手段４９は、対となる磁石４９ａ、４９ｂが先端固定部４２、４２ａの先端面に対向配置され、磁力（引力）で吸着されて固定されるものである。磁石４９ａ、４９ｂは、一方がＮ極で他方がＳ極であればよい。本実施の形態では、磁石４９ａ、４９ｂを３個ずつ先端固定部４２、４２ａの長手方向に沿って配置したが、磁石の数、大きさ、及び配置は適宜、選択することができる。また、先端固定部４２、４２ａの先端面にそれぞれ対となる磁石を取付ける代わりに、一方に磁石を取付け、他方に強磁性体（例えば鉄）で形成された金属片を取付けてもよい。先端固定部４２、４２ａはアルミニウム等の金属で形成してもよいし、硬質性の合成樹脂で形成してもよい。
【００４０】
次に、第１、第２のガイド部２５、２５ａの詳細について説明する。
まず、第１のガイド部２５は、図１、図２に示すように、コンテナ１１の両側壁１８、１９の上面に設けられた一対のガイドレール５０、５０ａを有し、第２のガイド部２５ａは、コンテナ１１の両側壁１８、１９の上面に設けられた一対のガイドレール５１、５１ａを有している。そして、第１の分割シート２０には、幅方向に沿って複数の補強軸５２が取付けられ、各補強軸５２の両端部に各ガイドレール５０、５０ａに沿って移動するガイドローラ５３、５３ａが回転可能に保持され、第２の分割シート２０ａには、幅方向に沿って複数の補強軸５４が取付けられ、各補強軸５４の両端部に各ガイドレール５１、５１ａに沿って移動するガイドローラ５５、５５ａが回転可能に保持されている。また、コンテナ１１の側壁１８の上端側に長手方向に沿って、ガイドローラ５３、５５の上方及び外側を覆うローラ保護カバー５６が取付けられ、コンテナ１１の側壁１９の上端側に長手方向に沿って、ガイドローラ５３ａ、５５ａの上方及び外側を覆うローラ保護カバー５６ａが取付けられている。なお、第１、第２のガイド部２５、２５ａの各部は金属製でも合成樹脂製でもよい。各補強軸５２、５４は、中空状（パイプ状）に形成されたものが好適に用いられるが、中実状（棒状）でもよい。また、各補強軸５２、５４は縫着部５７によってそれぞれ第１、第２の分割シート２０、２０ａに支持固定されている。縫着部５７は第１、第２の分割シート２０、２０ａの幅方向に沿って、補強軸５２、５４の全長を支持するようにしてもよいし、補強軸５２、５４の長手方向の要所を支持するようにしてもよい。
【００４１】
以上の構成により、上面開口部１２の開閉時に、第１、第２の分割シート２０、２０ａを移動させると、ガイドローラ５３、５３ａ及びガイドローラ５５、５５ａがそれぞれガイドレール５０、５０ａ及びガイドレール５１、５１ａに沿って移動し、その際に、ローラ保護カバー５６、５６ａにより、ガイドローラ５３、５３ａ及びガイドローラ５５、５５ａの浮き上がり、脱輪、及び斜行等を防止することができる。特に、上面開口部１２を閉塞する際に、閉塞手段２３は、第１、第２の分割シート２０、２０ａの先側（先端固定部４２、４２ａ）の長手方向の一端側に連結部４３、４３ａを介して連結された第１、第２の連結部材４０、４０ａを第１、第２の巻取り部４１、４１ａで巻き取るが、先に説明した第１、第２のウエイトローラ２８、３５及び第１、第２のガイド部２５、２５ａの作用により、第１、第２の分割シート２０、２０ａの斜行を防止することができる。
【００４２】
このとき、第１、第２の分割シート２０、２０ａの先側の幅方向両側位置（先端固定部４２、４２ａの長手方向両端部）に、コンテナ１１の両側壁１８、１９の上面に当接するスクレーパ５８、５８ａを設けることにより、両側壁１８、１９の上面に付着した粒状の輸送対象物又は異物等の付着物を掻き落とすことができる。特に、本実施の形態のように、両側壁１８、１９の上面にガイドレール５０、５０ａ及びガイドレール５１、５１ａが設けられている場合は、それらに付着した付着物をスクレーパ５８、５８ａで掻き落としながら、ガイドローラ５３、５３ａ及びガイドローラ５５、５５ａをガイドレール５０、５０ａ及びガイドレール５１、５１ａに沿ってスムーズに移動させることができる。また、図１に示すように、上面開口部１２の閉塞時の第１、第２の分割シート２０、２０ａの進行方向に対し、各スクレーパ５８、５８ａの長手方向の先側が、コンテナ１１の側壁１８、１９の外側に向かって傾斜するように配置（コンテナ１１の側壁１８、１９と交差して配置）されていれば、両側壁１８、１９上の粒状の輸送対象物をコンテナ１１の内側に掻き落として回収することができ、輸送対象物を無駄にすることなく、確実に搬送することができる。
【００４３】
また、本実施の形態では、閉塞手段として、第１、第２の巻取り部４１、４１ａをコンテナ１１の一方の側壁１８の外側部のみに設けたが、図３に示した連結部４３、４３ａ及び第１、第２の巻取り部４１、４１ａと同様の構成を他方の側壁１９の外側部にも設けることができる。その場合、第１、第２の巻取り部がそれぞれ対をなす閉塞手段で、第１、第２の分割シート２０、２０ａの先側の幅方向両端部を均等に引っ張って、よりスムーズに移動させることができる。なお、第１、第２の巻取り部がそれぞれ対をなす閉塞手段でも、先に説明したように、端部壁１６、１７の外面にそれぞれ対をなす第１、第２の巻取り部を取付けることが可能である。そして、それぞれ対をなす第１、第２の巻取り部の回転軸を各１本の通し軸とすれば、それぞれ対をなす第１、第２の巻取り部の巻取り動作を同期させることができる。
【００４４】
次に、閉塞手段の変形例について説明する。
図４に示す変形例の閉塞手段６０は、第１、第２の巻取り部６１、６１ａを有し、それぞれのドラム６２、６２ａの外側に、第１、第２の巻取り部６１、６１ａの巻取り動作を連動させる回転連動機構６３として、互いに噛合する第１、第２の回転伝達歯車６４ａ、６４ｂがそれぞれ取付けられている。そして、第２の回転伝達歯車６４ｂには、さらに駆動用歯車６５が噛合しており、この駆動用歯車６５をハンドル６６で回転させることにより、ドラム６２、６２ａが同期して回転し、第１、第２の巻取り部６１、６１ａの巻取り動作を連動させることができる。また、第２の回転伝達歯車６４ｂの外側にはラチェット歯車６８が取付けられており、このラチェット歯車６８に係止爪６９が係止されることにより、ドラム６２、６２ａの逆回転を防止して、第１、第２の分割シート２０、２０ａを所定の位置で停止させることができる。
【００４５】
次に、本考案の第２の実施の形態に係るコンテナ上部シート開閉装置（以下、シート開閉装置ともいう）７０について説明する。なお、なお、第１の実施の形態と同様の構成については、同一の符号を付して説明を省略する。
図５〜図８に示す第２の実施の形態に係るシート開閉装置７０が第１の実施の形態と異なる点は、コンテナ１１の上面開口部１２が１枚のシート７１で覆われており、上面開口部１２の開放時にシート７１が収容されるシート収容部７２がコンテナ１１の長手方向一端部（端部壁１７側）に取付けられ、上面開口部１２の閉塞時にシート７１の先側をコンテナ１１の長手方向他端部（端部壁１６側）まで移動させる閉塞手段７３がコンテナ１１の長手方向他端部（端部壁１６）に取付けられている点である。また、シート開閉装置７０は、コンテナ１１の両側壁１８、１９の長手方向に沿って取付けられ、シート収容部７２からコンテナ１１の長手方向他端部までシート７１の移動を案内するガイド部７５を有している。
【００４６】
まず、シート収容部７２の詳細について説明する。
図５〜図８に示すように、シート収容部７２は、コンテナ１１の幅方向両側部にそれぞれ高さ方向に沿って長孔状の第１の昇降ガイド７６、７６ａが形成された側部カバー７７、７７ａを有しており、コンテナ１１の幅方向に沿って設けられた第１のウエイトローラ７８の両端の軸部７９、７９ａが第１の昇降ガイド７６、７６ａに摺動可能に保持されている。また、側部カバー７７、７７ａには、上面開口部１２の開放時のシート７１の移動方向に対し第１の昇降ガイド７６、７６ａよりも下流側となる位置に、それぞれ高さ方向に沿って長孔状の第２の昇降ガイド８０、８０ａが形成されており、コンテナ１１の幅方向に沿って設けられた第２のウエイトローラ８１の両端の軸部８２、８２ａが第２の昇降ガイド８０、８０ａに摺動可能に保持されている。さらに、図５、図６に示すように、第１、第２のウエイトローラ７８、８１の間には、上面開口部１３の閉塞時の第１、第２のウエイトローラ７８、８１の高さよりも高い位置にコンテナ１１の幅方向に沿って中間ローラ８３が設けられている。この中間ローラ８３の両端の軸部８４、８４ａはシート収容部７２の上端側を覆う上面カバー８５に設けられた軸支部８６、８６ａで回動可能に保持されている。また、シート収容部７２は、端部壁１７の後方に端部壁１７と間隔を空けて平行配置されたシート取付けカバー８７を有しており、シート７１の基側端部８８は、第１のウエイトローラ７８の下方を通過し、中間ローラ８３の上方を通過した後、第２のウエイトローラ８１の下方を通過して、シート取付けカバー８７の内面の上端側に固定されている。
【００４７】
以上の構成により、第１、第２のウエイトローラ７８、８１は、それぞれシート７１によって抱持された状態となり、中間ローラ８３は軸支部８６、８６ａで所定の高さに保持されるので、閉塞手段７３が無負荷の状態では、第１、第２のウエイトローラ７８、８１のみが自重によって第１の昇降ガイド７６、７６ａ及び第２の昇降ガイド８０、８０ａに沿ってそれぞれ下端まで移動（落下）する。その結果、シート７１はシート収容部７２に引き込まれることとなり、動力を必要とすることなく、自動的にコンテナ１１の上面開口部１２を開放することができる。特に、第１、第２のウエイトローラ７８、８１は、シート７１の幅全体に均等に荷重を加えることができるので、シート７１の斜行を効果的に防ぐことができる。シート収容部７２の各部は鉄又はアルミニウム等の金属で形成してもよいし、硬質性の合成樹脂で形成してもよい。
【００４８】
次に、閉塞手段７３の詳細について説明する。
閉塞手段７３は、図５〜図８に示すように、一端側がシート７１の先側の幅方向両端部にそれぞれ連結された連結部材（例えば、ロープ、ワイヤ又はチェーン等）９０、９０ａと、連結部材９０、９０ａの他端側にそれぞれ連結され上面開口部１２の閉塞時に連結部材９０、９０ａの巻取り動作を行う巻取り部９１を有している。ここで、シート７１の先側の幅方向に沿って先端固定部９２が取付けられており、この先端固定部９２の長手方向の両端部にそれぞれ連結部材９０、９０ａの一端側が連結される連結部９３、９３ａが設けられている。連結部９３、９３ａは連結部材９０、９０ａの一端側を連結して保持できるものであればよく、その形状は、アイボルト状に限定されず、適宜、選択することができる。
【００４９】
巻取り部９１は、共通する１本の回転軸９５で連結され、各連結部材９０、９０ａを巻き取る２つのドラム９６、９６ａと、回転軸９５を回転させるための回転駆動手段９７を備えている。ここで、回転軸９５は、２つの軸受部９８によって端部壁１６の外面に回転可能に支持固定されているが、軸受部の数や配置は、回転軸の長さに応じて、適宜、選択することができる。また、回転駆動手段９７は、回転軸９５の下方に配置された正逆回転可能なモータ９９に取付けられた駆動スプロケット１００と、回転軸９５の一端側に取付けられた従動スプロケット１０１とを有し、駆動スプロケット１００と従動スプロケット１０１の間に動力伝達部材としてチェーン１０２が巻回されている。よって、シート７１がシート収容部７２に収容され上面開口部１２が開放されている状態から、モータ９９を駆動して駆動スプロケット１００を回転させ、その回転をチェーン１０２を介して従動スプロケット１０１に伝達し、回転軸９５と共にドラム９６、９６ａを回転させることにより、各連結部材９０、９０ａをドラム９６、９６ａで巻き取ることができる。この結果、シート７１がシート収容部７２から引き出され、その先側がコンテナ１１の長手方向他端部まで移動して上面開口部１２が閉塞される。このとき、端部壁１６の上部外面の幅方向両端部にはガイド用滑車１０３、１０３ａが設けられており、各連結部材９０、９０ａは、シート７１の先側からドラム９６、９６ａまでスムーズに移動（摺動）できる。また、モータ９９を逆回転させれば、先に説明した第１、第２のウエイトローラ７８、８１の作用によりシート７１をシート収容部７２に収容して、上面開口部１２を開放することができる。
【００５０】
本実施の形態では、モータ９９、駆動スプロケット１００、従動スプロケット１０１、及びチェーン１０２を用いて回転軸９５を回転させたが、回転軸９５にモータ等の電動式駆動手段を直結して、駆動スプロケット１００、従動スプロケット１０１、及びチェーン１０２を省略してもよいし、モータ等の電動式駆動手段の代わりに、回転軸９５にハンドルを連結して手動で回転させてもよい。また、本実施の形態では、２つのドラム９６、９６ａを１本の回転軸９５で連結したが、各ドラムを別々に手動又は電動で回転させることもできる。
【００５１】
次に、ガイド部７５の詳細について説明する。
まず、ガイド部２５は、図５〜図８に示すように、コンテナ１１の両側壁１８、１９の上面に設けられた一対のガイドレール１０４、１０４ａを有している。そして、シート７１の下方には、幅方向に沿って複数の支持軸１０５が配置され、各支持軸１０５の両端部に各ガイドレール１０４、１０４ａに沿って移動するガイドローラ１０６、１０６ａが回転可能に保持されている。ここで、先端固定部９２の長手方向両端部には、アイボルト状の連結部１０７、１０７ａが設けられており、この連結部１０７、１０７ａを介してシート７１の先側とシート７１の先側に最も近い支持軸１０５の両端部がそれぞれ支持軸連結部材（例えば、ロープ、ワイヤ又はチェーン等）１０８、１０８ａで連結される。また、隣り合う支持軸１０５同士の両端部もそれぞれ支持軸連結部材１０８、１０８ａで連結される。そして、コンテナ１１の側壁１８、１９の上端側にそれぞれ長手方向に沿って、ガイドローラ１０６、１０６ａの上方及び外側を覆うローラ保護カバー１０９、１０９ａが取付けられている。
【００５２】
図７、図８に示すように、シート７１の先側（先端固定部９２）がコンテナ１１の長手方向一端部（端部壁１７側）に移動し、シート７１の基側がシート収容部７２に収容されて上面開口部１２が開放された状態では、支持軸連結部材１０８、１０８ａが下方に弛むことにより、先端固定部９２とガイドローラ１０６同士、及びガイドローラ１０６ａ同士が密着するようにして支持軸１０５同士の間隔が狭まり、支持軸１０５がコンテナ１１の長手方向一端部に集まる。図７、図８の状態からモータ９９を駆動し、ドラム９６、９６ａで連結部材９０、９０ａを巻き取ると、シート７１の先側（先端固定部９２）がコンテナ１１の長手方向他端部（端部壁１６側）に向かって移動する。これにより、支持軸連結部材１０８、１０８ａで連結された各支持軸１０５が順次、コンテナ１１の長手方向他端部に向かって引っ張られ、各ガイドローラ１０６、１０６ａがガイドレール１０４、１０４ａに沿って移動する。そして、図５、図６に示すように、上面開口部１２はシート７１で閉塞され、所定の間隔に配置された各支持軸１０５がシート７１を下方から支持する。上面開口部１２を開放する際には、図５、図６の状態からモータ９９を逆回転させ、シート７１の先側（先端固定部９２）をコンテナ１１の長手方向一端部（端部壁１７側）に向かって移動させる。これにより、第１、第２のウエイトローラ７８、８１が下方に移動し、シート７１の基側が徐々にシート収容部７２に引き込まれて収容される。先端固定部９２が端部壁１７側に移動するにつれ、支持軸連結部材１０８、１０８ａが弛むと共に、各ガイドローラ１０６、１０６ａがガイドレール１０４、１０４ａに沿って移動する。そして、最終的に図７、図８に示す状態となって上面開口部１２が開放される。
【００５３】
図５〜図８においては、説明の都合上、コンテナ１１の大きさに対して、先端固定部９２、ガイドレール１０４、１０４ａ、支持軸１０５、及びガイドローラ１０６、１０６ａ等の部品を誇張して大きく描いているために、図７、図８の上面開口部１２の開放状態で、上面開口部１２がシート７１で覆われている範囲が広くなっているが、実際の上記部品の寸法は、上面開口部１２のほぼ全体を開放できる程度まで小さくすることができる。ガイド部７５の各部は金属製でも合成樹脂製でもよい。また、支持軸１０５は、中空状（パイプ状）でも中実状（棒状）でもよい。なお、シート７１の先側の幅方向両側位置（先端固定部９２の長手方向両端部）には、第１の実施の形態と同様に、コンテナ１１の両側壁１８、１９の上面に当接するスクレーパを設けることができる。
【００５４】
以上、本考案の実施の形態を説明したが、本考案は、上記した形態に限定されるものでなく、要旨を逸脱しない条件の変更等は全て本考案の適用範囲である。
例えば、上記実施の形態では、ガイドレールとして丸鋼を用いたが、ガイドレールの形状は、これに限定されるものではなく、例えばアングルを用いてＬ字状に形成してもよい。
また、補強軸及び支持軸の数及び配置間隔は、適宜、選択することができる。なお、第１の実施の形態では、補強軸を第１、第２の分割シートの下面側に取付けたが、上面側に取付けてもよい。また、シートが第１、第２の分割シートに分割されている場合、第１、第２の分割シートは水平に設置する必要はなく、コンテナの長手方向中央側が高く、長手方向両端側が低くなるように、ガイドレールを傾斜させて、第１、第２の分割シート上に溜まった雨水をコンテナの長手方向両端側から排水してもよい。第２の実施の形態のように、シートが１枚の場合は、コンテナの長手方向の一端側から他端側に向かって上り勾配又は下り勾配となるように傾斜させてシート上の雨水を排水することができる。また、第２の実施の形態では、回転駆動手段としてスプロケットとチェーンの組合せを用いたが、プーリーとＶベルトの組合せを用いてもよい。
【符号の説明】
【００５５】
１０：コンテナ上部シート開閉装置、１１：コンテナ、１２：上面開口部、１３：シート、１５：底板、１６、１７：端部壁、１８、１９：側壁、２０：第１の分割シート、２０ａ：第２の分割シート、２１：第１の分割シート収容部、２１ａ：第２の分割シート収容部、２３：閉塞手段、２５：第１のガイド部、２５ａ：第２のガイド部、２６、２６ａ：昇降ガイド、２７、２７ａ：側部カバー、２８：第１のウエイトローラ、２９、２９ａ：軸部、３０：シート取付けカバー、３１：基側端部、３２：上面カバー、３３、３３ａ：昇降ガイド、３４、３４ａ側部カバー、３５：第２のウエイトローラ、３６、３６ａ：軸部、３７：シート取付けカバー、３８：基側端部、３９：上面カバー、４０：第１の連結部材、４０ａ：第２の連結部材、４１：第１の巻取り部、４１ａ：第２の巻取り部、４２、４２ａ：先端固定部、４３、４３ａ：連結部、４５、４５ａ：ドラム、４６、４６ａ：ハンドル、４７、４７ａ：ガイド用滑車、４８：ベース部、４９：固定手段、４９ａ、４９ｂ：磁石、５０、５０ａ、５１、５１ａ：ガイドレール、５２：補強軸、５３、５３ａ：ガイドローラ、５４：補強軸、５５、５５ａ：ガイドローラ、５６、５６ａ：ローラ保護カバー、５７：縫着部、５８、５８ａ：スクレーパ、６０：閉塞手段、６１：第１の巻取り部、６１ａ：第２の巻取り部、６２、６２ａ：ドラム、６３：回転連動機構、６４ａ：第１の回転伝達歯車、６４ｂ：第２の回転伝達歯車、６５：駆動用歯車、６６：ハンドル、６８：ラチェット歯車、６９：係止爪、７０：コンテナ上部シート開閉装置、７１：シート、７２：シート収容部、７３：閉塞手段、７５：ガイド部、７６、７６ａ：第１の昇降ガイド、７７、７７ａ：側部カバー、７８：第１のウエイトローラ、７９、７９ａ：軸部、８０、８０ａ：第２の昇降ガイド、８１：第２のウエイトローラ、８２、８２ａ：軸部、８３：中間ローラ、８４、８４ａ：軸部、８５：上面カバー、８６、８６ａ：軸支部、８７：シート取付けカバー、８８：基側端部、９０、９０ａ：連結部材、９１：巻取り部、９２：先端固定部、９３、９３ａ：連結部、９５：回転軸、９６、９６ａ：ドラム、９７：回転駆動手段、９８：軸受部、９９：モータ、１００：駆動スプロケット、１０１：従動スプロケット、１０２：チェーン、１０３、１０３ａ：ガイド用滑車、１０４、１０４ａ：ガイドレール、１０５：支持軸、１０６、１０６ａ：ガイドローラ、１０７、１０７ａ：連結部、１０８、１０８ａ支持軸連結部材、１０９、１０９ａ：ローラ保護カバー
【図１】
0003221738.tif 000003
【図２】
0003221738.tif 000004
【図３】
0003221738.tif 000005
【図４】
0003221738.tif 000006
【図５】
0003221738.tif 000007
【図６】
0003221738.tif 000008
【図７】
0003221738.tif 000009
【図８】
0003221738.tif 000010